(57)【要約】【課題】  ギャッチ機構を有するベッドにおいて、背上げをした際の臀部にかかる圧力やずれ力を座骨部や大腿近位に分散させることにより臀部の圧力やずれ力を軽減させることを目的とする。【解決手段】  膝ボトム１１をステー２０とローラ軸２１ａによってメインフレーム１４に変位可能に連結し、膝上げ時にはステー２０が回転するに従って膝ボトム１１は傾斜すると共に、全体が上方へ移動する。この時ローラ軸２１ａの他端にあるローラ２１ｂはローラガイド２２に沿って足側へ移動する。【選択図】図２
2008168095.tif 000002
【特許請求の範囲】
【請求項１】
ギャッチ機構を有するベッドにおいて、大腿部に対応する膝ボトムをメインフレームの膝ボトムより頭側に設置したガイドに沿って移動可能に設けたローラ軸と、メインフレームの膝ボトムより足側に連結したステーを介して変位可能に支持する構成とし、前記膝ボトムが膝上げ時に傾斜すると共に、膝ボトム全体がメインフレームより上方に移動するように変位させる構成としたことを特徴とする膝上げ機構。
【請求項２】
ギャッチ機構を有するベッドにおいて、大腿部に対応する膝ボトムをメインフレームの膝ボトムより頭側に連結したステーを介して変位可能に支持する構成とし、膝上げ時に膝ボトムが傾斜すると共に、膝ボトム全体がメインフレームより上方に移動するように変位させる構成としたことを特徴とする膝上げ機構。
【請求項３】
ギャッチ機構を有するベッドにおいて、大腿部に対応する膝ボトムをメインフレームの膝ボトムより足側に連結した第１ステーと第１ステーより短い第２ステーを介して変位可能に支持する構成とし、膝上げ時に膝ボトムが傾斜すると共に、膝ボトム全体がメインフレームより上方に移動するように変位させる構成としたことを特徴とする膝上げ機構。
【発明の詳細な説明】
【技術分野】
【０００１】  本発明はギャッチ機能を有するベッドにおいて、大腿に対応する膝ボトムを傾斜させて膝上げする際に、膝ボトムの膝側のみでなく、膝ボトム全体が上方に移動する事により、背上げ時における臀部の圧力やずれ力を座骨部や大腿近位に分散させることにより軽減させることを目的とした膝上げ機構に関するものである。
【背景技術】
【０００２】  従来のベッドの膝上げ機構の多くは膝ボトムを腰ボトムとの連結箇所を中心に回転させて傾斜するように構成している。また、膝ボトムの幅を調節する事が出来ない。このため、膝ボトムを傾斜して膝上げを行った時に座骨部や大腿近位への体圧分散がうまくいかず臀部の圧力やずれ力がかえって増加する場合もある。この現象を改善するために〔特許文献１〕では膝ボトムの幅を変更できるようにしている。また〔特許文献２〕では身体の圧迫を軽減する目的で膝上げ時に膝ボトムを足側にずらすようにしている。
【特許文献１】特開平１１−１１３９７３
【特許文献２】特開２０００−８３７６０
【発明の開示】
【発明が解決しようとする課題】
【０００３】    本出願人は上記の欠点を克服するため、膝上げをする際に膝ボトムを傾斜させると同時に膝ボトム全体を上方へ移動させることにより臀部にかかる圧力やずれ力を座骨部や大腿近位に分散させ、臀部の圧力やずれ力を軽減することを目的とする。
【課題を解決するための手段】
【０００４】    本発明は上記の目的を達成するために、大腿部に対応する膝ボトムをメインフレームにメインフレームの膝ボトムより頭側に設置したガイドに沿って移動可能に設けたローラ軸と、メインフレームの膝ボトムより足側に連結したステーを介して変位可能に支持する構成とし、膝上げ時に膝ボトムが傾斜すると共に、膝ボトム全体が上方に移動するように変位させる構成とした。また本発明は、ギャッチ機構を有するベッドにおいて、大腿部に対応する膝ボトムをメインフレームの膝ボトムより頭側に連結したステーを介して変位可能に支持する構成とし、膝上げ時に膝ボトムが傾斜すると共に、膝ボトム全体が上方に移動するように変位させる構成とする事も出来る。また本発明はギャッチ機構を有するベッドにおいて、大腿部に対応する膝ボトムをメインフレームの膝ボトムより足側に連結した第１ステーと第１ステーより短い第２ステーを介して変位可能に支持する構成とし、膝上げ時に膝ボトムが傾斜すると共に、膝ボトム全体が上方に移動するように変位させる構成とする事も出来る。
【発明の効果】
【０００５】  本発明において膝ボトムを傾斜するだけでなく、膝ボトム全体を上方に移動することによって座骨部および大腿近位部のマットレスとの接触面積が増加し、背上げによる臀部の圧力やずれ力が座骨部や大腿近位に分散され、臀部の圧力およびずれ力が軽減され、身体全体のずれ下がりも軽減される。
【発明を実施するための最良の形態】
【０００６】  本発明にかかる膝上げ機構を有するベッドについて一つの実施例を示し、添付の図面を参照しながら以下説明する。図１は膝上げ機構を中心にベッドの一部を示してある。このベッドにおいて膝ボトム１１はステー２０とローラ軸２１ａによって支持されている。ステー２０はメインフレーム１４の膝ボトムより足側に連結されており、ステー２０と膝ボトム１１およびメインフレーム１４との連結部は回動可能に軸止めしてある。また、ローラ軸２１ａの他端にはローラ２１ｂがあり、ローラ２１ｂはメインフレーム１４に敷設されたローラガイド２２に沿って移動可能にしてある。【０００７】  以上のように構成された膝上げ機構を有するベッドにおいて膝上げ機構を起動していくと、図２に示す如くステー２０が回転するに従って膝ボトム１１は傾斜すると共に、全体が上方へ移動する。この時ローラ軸２１ａの他端にあるローラ２１ｂはローラガイド２２に沿って足側へ移動する。【０００８】  本発明にかかる膝上げ機構を有するベッドについて以下のように構成することも出来る。すなわち図３に示す如く膝ボトム１１はステー３１ａによりメインフレーム１４の膝ボトム１１より頭側に連結されており、メインフレーム１４との連結はステー回転軸３１ｂにより回動可能に軸止めしてある。【０００９】  以上のように構成された膝上げ機構を有するベッドにおいて膝上げ機構を起動していくと、図４に示す如くステー３１ａがステー回転軸３１ｂを軸として回転するに従って、膝ボトム１１は傾斜すると共に、全体が上方へ移動する。【００１０】  さらに、本発明にかかる膝上げ機構を有するベッドについて以下のように構成することも出来る。すなわち図５に示す如く膝ボトム１１はメインフレーム１４の膝ボトム１１より足側に第１ステー４１および第１ステーより短い第２ステー４２により連結されており、第１ステー４１および第２ステー４２と膝ボトム１１およびメインフレーム１４との連結部は回動可能に軸止めしてある。【００１１】  以上のように構成された膝上げ機構を有するベッドにおいて膝上げ機構を起動していくと、図６に示す如く第１ステー４１が回転するに従って、膝ボトム１１は傾斜すると共に、全体が上方へ移動する。このとき第２ステー４２も第１ステー４１と同方向に回転する。
【産業上の利用可能性】
【００１２】  本発明によれば、背上げをした時にかかる臀部の圧力やずれ力を座骨部および大腿近位に分散することにより、臀部の圧力やずれ力を軽減し、食事介護時やリハビリテーション等における長時間の座位による臀部の苦痛を軽減し、褥瘡の予防にも役立ち、長期臥床者など背上げの必要な使用者の福音となる。
【図面の簡単な説明】
【００１３】
【図１】  本発明にかかるベッド膝上げ機構の一実施例と、その膝上げ機構部分の模範的な側面説明図である。
【図２】  図１に示すベッドにおける膝ボトムの挙上時の状態を示した側面説明図である。
【図３】  本発明にかかるベッド膝上げ機構の別の実施例と、その膝上げ機構部分の模範的な側面説明図である。
【図４】  図３に示すベッドにおける膝ボトムの挙上時の状態を示した側面説明図である。
【図５】  本発明にかかるベッド膝上げ機構のもう一つ別の実施例と、その膝上げ機構部分の模範的な側面説明図である。
【図６】  図５に示すベッドにおける膝ボトムの挙上時の状態を示した側面説明図である。
【符号の説明】
【００１４】    １０  足ボトム
１１  膝ボトム
１２  腰ボトム
１３  背ボトム
１４  メインフレームの一部
２０  ステー
２１ａ  ローラ軸
２１ｂ  ローラ
２２  ローラガイド
３１ａ  ステー
３１ｂ  ステー回転軸
４１  第１ステー
４２  第２ステー
【図１】
2008168095.tif 000003
【図２】
2008168095.tif 000004
【図３】
2008168095.tif 000005
【図４】
2008168095.tif 000006
【図５】
2008168095.tif 000007
【図６】
2008168095.tif 000008